(57)【要約】      （修正有）【課題】マスク内の立体空間を十分に確保でき、マスクが顔の口、鼻などに良好に対応できるようにしたマスクを提供する。【解決手段】耳掛け部材９を有し、マスク本体２に左右方向に延び上下方向に拡開可能な複数の襞４ａ、４ｂ，４ｃ及び４ｄが上下方向に並設されたマスク１で、複数の襞４ａ、４ｂ，４ｃ及び４ｄが上下に同数で、マスク本体２の中部３が当該中部３における中央部５の横中心線Ｌに対して上側と下側とが対称の形状に構成され、マスク本体２の左右各端部に複数の襞４ａ、４ｂ，４ｃ及び４ｄの上下方向への広がりを阻止することができる外方に向かってＶ字状の接合部６が設けられてマスク１を構成する。【選択図】図１
0003157770.tif 000002
【実用新案登録請求の範囲】
【請求項１】
耳掛け部材を有し、マスク本体に左右方向に延び上下方向に拡開可能な複数の襞が上下方向に並設されたマスクで、当該複数の襞が上下に同数で、マスク本体の中部が当該中部における中央部の横中心線に対して上側と下側とが対称の形状に構成され、マスク本体の左右各端部に当該複数の襞の上下方向への広がりを阻止することができる外方に向かってＶ字状の接合部が設けられてなることを特徴とするマスク。
【請求項２】
外方に向かってＶ字状の接合部が、ヒ−トシ−ルにより形成されてなることを特徴とする、請求項１に記載のマスク。
【請求項３】
ノ−ズワイヤが、マスク本体の上端部に設けられてなることを特徴とする、請求項１又は２に記載のマスク。
【請求項４】
弾性部材が、マスク本体の中部に設けられてなることを特徴とする、請求項１、２又は３に記載のマスク。
【考案の詳細な説明】
【技術分野】
【０００１】
本考案は、マスク、特に、衛生マスクに関するものである。
【背景技術】
【０００２】
マスクは、口、鼻等を覆って、医療分野等の広範囲の分野で使用され、インフルエンザ対策などに有効である。
当該マスクにあっては、従来より、マスク本体に、細く折り畳んである細長い折目である複数の襞（プリ−ツ、ギャザ−）を形成して横方向に折畳み、使用時に当該襞を拡開すると、当該マスク本体が上下方向に拡開して立体形状になるので、マスク内面が直接鼻孔や口に密着せずに呼吸がし易く、襞による広がりで表面積が増えマスクとしての機能が向上し、使用前は扁平で携帯し易く商品としての取扱上も便利である等の利点がある。
又、当該マスクにあっては、従来より、マスク本体の左右各端部は、接着、融着、縫着等で固着してあり、当該左右各端部が固着されていて広がらないので、マスクの中央部側は広がっても、当該左右各端部側は広がらずにマスクが立体形状となるようになしてある（実開昭５３−１２６３９２号公報、実開昭６１−１１１４５４号公報、実開平２−１１８５６８号公報）。
当該マスク本体の左右各端部の当該固着部は、従来より、通常は、当該特許文献からも見られるように、上下方向に直線的な帯状に構成され、又、当該左右の固着部は同じ距離とされていた。
しかるに、実用新案登録３１０８８８０号公報では、マスク本体１に複数の襞（プリ−ツ）を上下方向に並設し、マスク本体１の左右各端部に当該襞（プリ−ツ）の上下方向への広がりを阻止する外側方に向かって凸状の円弧状の熱接着部を設けてなる衛生マスクが記載されており、当該マスクによれば、マスク本体の左右各端部と使用者の頬との間の隙間を解消できるようになった。
又、実用新案登録３１１７５００公報では、上記の実用新案登録３１０８８８０公報に記載の当該凸状の円弧状の熱接着部と同様のプリーツの広がりを押さえる第二プリ−ツ押え線に加えて、マスク本体の両側縁部に対して平行の第一プリ−ツ押え線をもプリ−ツ押え部とした衛生マスクが記載されている。
更に、特開２００７−９７９０４号公報では、マスクの左右両端部に、マスクの縦方向に延び且つマスクの縦中心線に向かって凸形状の接合ラインを形成したマスクが提案され、当該マスクでは、上記の実用新案登録３１０８８８０号公報に記載の円弧状の熱接着部が外側方に向かって凸状であるのに対して、反対向きのマスクの縦中心線に向かって凸形状の接合ラインとしており、又、当該特開２００７−９７９０４号公報のマスクでは、例えば、その図示例では、マスクの中心板の横中心線に対して、上向きひだは一つであるが、下向きひだは２つとした、即ち、マスクの上側と下側とが非対称な形状となったマスクが提案されている。
【先行技術文献】
【特許文献】
【０００３】
【特許文献１】実開昭５３−１２６３９２号公報、実開昭６１−１１１４５４号公報、実開平２−１１８５６８号公報、実用新案登録３１０８８８０号公報、実用新案登録３１１７５００公報、特開２００７−９７９０４号公報
【考案の開示】
【考案が解決しようとする課題】
【０００４】
本考案は、上記の従来技術に鑑み、マスク本体に複数の襞（プリ−ツ、ギャザ−、折り目）を形成して横方向に折畳み、使用時に当該襞を拡開すると、当該マスク本体が上下方向に拡開して立体形状になるので、マスク内面が直接鼻孔や口に密着せずに呼吸がし易く、襞による広がりで表面積が増えマスクとしての機能が向上し、使用前は扁平で携帯し易く商品としての取扱上も便利である等の利点を活かしつつ、マスクを耳掛け部材にて耳に装着した時に、マスク本体の左右各端部と使用者の頬との間の隙間をより一層無くして装着感も良く、又、マスク内の立体空間を十分に確保でき、マスクが顔の口、鼻などに良好に対応できるようにしたマスクを提供することを目的としたものである。
本考案の他の目的および新規な特徴は以下の明細書及び図面の記載からも明らかになるであろう。
【課題を解決するための手段】
【０００５】
本考案の実用新案登録請求の範囲は、次の通りである。
（請求項１）  耳掛け部材を有し、マスク本体に左右方向に延び上下方向に拡開可能な複数の襞が上下方向に並設されたマスクで、当該複数の襞が上下に同数で、マスク本体の中部が当該中部における中央部の横中心線に対して上側と下側とが対称の形状に構成され、マスク本体の左右各端部に当該複数の襞の上下方向への広がりを阻止することができる外方に向かってＶ字状の接合部が設けられてなることを特徴とするマスク。
（請求項２）  外方に向かってＶ字状の接合部が、ヒ−トシ−ルにより形成されてなることを特徴とする、請求項１に記載のマスク。
（請求項３）  ノ−ズワイヤが、マスク本体の上端部に設けられてなることを特徴とする、請求項１又は２に記載のマスク。
（請求項４）  弾性部材が、マスク本体の中部に設けられてなることを特徴とする、請求項１、２又は３に記載のマスク。
【考案の効果】
【０００６】
本願において開示される考案のうち代表的なものによって得られる効果を簡単に説明すれば、下記のとおりである。
すなわち、本考案によれば、マスク本体に複数の襞（プリ−ツ、ギャザ−、折り目）を形成して横方向に折畳み、使用時に当該襞を拡開すると、当該マスク本体が上下方向に拡開して立体形状になるので、マスク内面が直接鼻孔や口に密着せずに呼吸がし易く、襞による広がりで表面積が増えマスクとしての機能が向上し、使用前は扁平で携帯し易く商品としての取扱上も便利である等の利点を活かしつつ、マスクを耳掛け部材にて耳に装着した時に、マスク本体の左右各端部と使用者の頬との間の隙間をより一層無くして装着感も良く、又、マスク内の立体空間を十分に確保でき、マスクが顔の口、鼻などに良好に対応できるようにしたマスクを提供することができる。
【０００７】
次に、本考案の実施例を図面を参照しつつ説明する。
【実施例】
【０００８】
図１に示すように、マスク１におけるマスク本体２は、例えば、長方形に構成されている。当該マスク本体２により、マスク着用に際して、鼻、口、顎等の必要箇所を覆うことができる。
当該マスク本体２は、例えば、合成樹脂製不織布により構成される。当該マスク本体２の素材としては、その通気性や加工性や経済性等から不織布が好ましい。当該不織布としては、例えば、メルトブロ−ン不織布、スパンボンド不織布、エアスル−法によるサ−マルボンド不織布、スパンレ−ス不織布などの種々の不織布を用いることができ、これら種々の不織布を適宜組み合わせて、マスク本体２に所望の機能を付与することができる。マスク本体２を構成する不織布は、例えば、３層構造からなっていてもよい。
マスク本体２が当接する口元等の顔の部分等に応じて、厚みの異なる不織布やフイルター機能に優れた不織布や通気性に優れた不織布など異なった不織布構成とするとよい。
【０００９】
図１及び図２にも示すように、マスク本体２の中部３には、複数の襞４が上下方向に並設されている。当該図示例では、当該中部３における中央部５から上襞山４０ａを介して当該中央部５の裏面側に折り畳まれて上襞４ａを形成し、次いで、当該上襞４ａの上方に上襞山４０ｂを介して上襞４ｂが形成されている。一方、当該中部３における中央部５から下襞山４０ｃを介して当該中央部５の裏面側に折り畳まれて下襞４ｃを形成し、次いで、当該第２の下襞４ｃの下方に下襞山４０ｄを介して下襞４ｄが形成されている。当該複数の襞４ａ、４ｂ、４ｃ及び４ｄは、当該中央部５の横中心線Ｌに対して、上側も下側も夫々２個ずつの上側と下側との複数の襞４が上下方向に並設されていて、上側と下側とで対称の形状に構成されている。
当該複数の襞４ａ、４ｂ、４ｃ及び４ｄは、当該マスク本体２において、左右方向に端部まで延設されている。
図１にも示すように、マスク本体２の中部３における中央部５は、当該複数の襞４ａ、４ｂ、４ｃ及び４ｄの各々に比較して広幅になっている。
【００１０】
当該マスク本体２では、当該マスク本体の左右各端部に当該複数の襞４ａ、４ｂ、４ｃ及び４ｄの上下方向への広がりを阻止することができるように、Ｖ字状の接合部６が設けられている。
当該Ｖ字状の接合部６は、図１に示すように、当該マスク本体の左右各端部において外方に向って設けられている。
当該Ｖ字状の接合部６は、上記の複数の襞４ａ、４ｂ、４ｃ及び４ｄが、当該マスク本体の左右各端部において上下方向へ広がらないように、横方向にマスク本体２の左右端部にまで延びた当該複数の襞４ａ、４ｂ、４ｃ及び４ｄの夫々に係わるように係設されている。
当該接合部６は、当該複数の襞４の上下方向への広がりを阻止することができれば、縫製、接着剤を用いた接着でもよいが、ヒ−トシ−ルによる融着が、作業性や襞の押さえ効果などから好ましい。当該ヒ−トシ−ルは、上記のように、上記複数の襞４ａ、４ｂ、４ｃ及び４ｄの左右端部が広がらないように施されている。
当該接合部６は、連続でも不連続でもよい。図示の実施例では、ヒ−トシ−ルにより、不連続の透明な四角状の複数のヒ−トシ−ル部分によりなっていて、且つ、外方に向かってＶ字状に当該接合部６を構成した例を示す。
【００１１】
当該マスク本体２の上端部には、上下に平行で所定間隔に空けられた接合部７ａ、７ｂが設けられており、当該接合部７ａ、７ｂは、上記Ｖ字状の左右の接合部６と同様にヒ−トシ−ルよりなる。
当該上下の接合部７ａ、７ｂ間の空間内部には、ノ−ズワイヤ８が包蔵され、当該ノ−ズワイヤ８は、当該上下の接合部７ａ、７ｂによりマスク本体２に固定されている。
当該ノ−ズワイヤ８により、マスクの着用に際して、マスク本体２の上部を鼻にフイットさせ、鼻とマスクとの間に隙間が生じないようにすることができる。
当該ノ−ズワイヤ８は、金属や合成樹脂などにより構成され、針金、板状などの各種形態に構成される。可撓性や屈曲性などの機能を有し、その可撓性や屈曲性などの機能により、マスクを鼻にフイットさせ、鼻とマスクとの間に隙間が生じないようにすることができる。
【００１２】
マスク１では、図１に示すように、マスク本体の左右端部２には、耳掛け部材９を有する。当該耳掛け部材９の各上端部は、上記のマスク本体２の上端部に熱接着されている。又、当該耳掛け部材９の各下端部は、上記のマスク本体２の下端部に熱接着されている。
当該マスク本体２の下端部には、上下に平行で所定間隔に空けられた接合部１０ａ及び１０ｂが設けられている。当該接合部１０ａ、１０ｂは、上記Ｖ字状の左右の接合部６と同様にヒ−トシ−ルよりなる。
【００１３】
図３に示すように、マスク１をその耳掛け部材９を用いて耳に掛け装着し、マスク本体２の中部３の左右方向に延び上下方向に並設された複数の襞４を上下方向に拡開すると、当該マスク本体２は立体形状になる。その際に、Ｖ字状の接合部６によりスク本体２の左右各端部の当該複数の襞４の上下方向への広がりを阻止することができ、当該マスク本体２は立体形状になる。
尚、図３では、マスクを装着する口、鼻などを省略してあるが、当該マスク本体２は立体形状になり、当該口などから離隔されている。
当該複数の襞４は上下に同数であって例えば当該実施例では上下に２個ずつなので、マスク本体２の中部３が当該中部３における中央部５の横中心線Ｌに対してその上側と下側とが対称の形状に構成される。
図１にも示すように、マスク本体２の中部３における中央部５は、当該襞４よりも広幅になっている。
複数の襞４が上下方向に拡開し、一方、Ｖ字状の接合部６によりマスク本体２の左右各端部の当該複数の襞４の上下方向への広がりを阻止することができるので、当該マスク本体２は立体形状になり、マスク内面が直接鼻孔や口に密着せずに呼吸がし易く、襞による広がりで表面積が増えマスクとしての機能が向上し、使用前は扁平で携帯し易く商品としての取扱上も便利である等の利点がある。それに加えて、マスク本体２の中部３が当該中部３における中央部５の横中心線Ｌに対してその上側と下側とが対称の形状に構成されるので、上下方向にマスク本体２を均等に拡げることができ、マスクの空間を充分に確保でき、特に、マスク本体２の中部３における中央部５が比較的に広幅に構成されているので、マスク内側の口に当接する箇所の空間が充分に確保でき、呼吸がし易いという利点がある。
本考案のマスク１を、図３に示すように、耳掛け部材９を用いて耳に掛け装着すると、当該マスク１のマスク本体２の中部３は、襞４の押さえのない部分は拡開し、一方、Ｖ字状の接合部６の位置するマスク本体２の左右各端部は、当該複数の襞４の上下方向への広がりが阻止されるので、当該マスク本体２は立体形状になると共に、図示のように、耳掛け部材９が取り付けられた端部は、当該耳掛け部材９により引っ張られるので、当該マスク本体２の端部はＶ字状になる。
その際に、当該接合部６は、外方に向かってＶ字状であるので、上記のように、耳に掛け装着した時にマスク本体２の端部がＶ字状になるのに追随でき、マスク本体の左右各端部と使用者の頬との間の隙間を無くして装着感を良くすることができる。
マスク本体２の上端部にはノ−ズワイヤ８が、当該上下の接合部７ａ、７ｂ間の空間内部に包蔵固定されていて、マスクの着用に際して、当該ノ−ズワイヤ８により、マスク本体２の上部を鼻にフイットさせ、鼻とマスクとの間に隙間が生じないようにすることができる。
【００１４】
本考案では、上記のように、複数の襞４を設け、又、Ｖ字状の接合部６を設けると共に、図４に示すように、マスク本体２の中部３例えばその中央部５に弾性部材１１を内蔵させ、当該弾性部材１１を上下の接合部１２ａ、１２ｂによりマスク本体２に固定するとよい。
図５は、図４に示すマスクの実施例を示す中央縦一部断面図で、弾性部材１１がマスク本体２の中央部５に設けられている。他は、図２と略同様でその説明を省略するが、当該図５に示すマスクでは、ノ−ズワイヤ８も図示してある。
当該マスク本体２の中央部５に設けられ、当該弾性部材１１をマスク本体２に固定する当該上下に平行で所定間隔に空けられた接合部１２ａ、１２ｂは、上記Ｖ字状の左右の接合部６と同様に例えばヒ−トシ−ルよりなる。
上記のように、耳掛け部材９を用いて耳に掛け装着し、襞４を拡開すると、マスク本体２は立体形状になるが、当該弾性部材１１により、マスクの立体形状を保持することができる。
当該弾性部材１１は、金属や合成樹脂などにより構成され、針金、板などの各種形態により構成される。可撓性や屈曲性などの機能を有し、その可撓性や屈曲性などの機能により、マスクの立体形状を保持し、マスクと口などとの間に適当な間隙・空間を保持することができる。
【００１５】
本考案は上記実施例に限定されず、適宜変更が可能である。例えば、ノ−ズワイヤ７をマスク本体２に内蔵させる例を示したが、マスク本体２の外部に設けてもよい。又、弾性部材１１もマスク本体２に内蔵させる例を示したが、マスク本体２の外部に設けてもよい。前記実施例では、複数の襞が上下に同数の例として上下に２個ずつの襞が設けられている場合を例示したが、複数の襞が上下に同数で、マスク本体の中部が当該中部における中央部の横中心線に対して上側と下側とが対称の形状に構成されていれば、上下に１個ずつ、又は、３個以上ずつでもよい。
【産業上の利用可能性】
【００１６】
本考案のマスクは、衛生マスクの他各種のマスクとして使用できる。
【図面の簡単な説明】
【００１７】
【図１】本考案の実施例を示すマスクの平面図である。
【図２】本考案の実施例を示すマスクの中央縦一部拡大断面図である。
【図３】本考案のマスクの使用の一例を示す説明図である。
【図４】本考案の他の実施例を示すマスクの平面図である。
【図５】本考案の他の実施例を示すマスクの中央縦一部断面図である。
【符号の説明】
【００１８】
１…マスク
２…マスク本体
３…中部
４…襞
５…中央部
６…接合部
８…ノ−ズワイヤ
９…耳掛け部材
１１…弾性部材
【図１】
0003157770.tif 000003
【図２】
0003157770.tif 000004
【図３】
0003157770.tif 000005
【図４】
0003157770.tif 000006
【図５】
0003157770.tif 000007